(57)【要約】      （修正有）【課題】容易に変更や除去ができる装飾を施して写真や絵画を展示可能とするアートボードを提供する。【解決手段】木製のフレームの中央に凹部を形成し、ここに強磁性体の板からなるプレートをはめ込む。そして、その上から、写真Ｐを印刷したキャンバス地を、フレームを包み込むように固定して、ボード本体１を形成する。一方、サングラス４０、リボン４１、首飾り４３、ハート４２など種々の形状で、裏面に磁石を貼り付けた装飾パーツを用意する。装飾パーツは、写真Ｐの上から磁力で吸着させることができるため、容易に装飾を施して写真や絵画を展示することができる。また、かかる装飾パーツは、容易に変更や除去も可能である。【選択図】図２
0003211748.tif 000002
【実用新案登録請求の範囲】
【請求項１】
写真または絵画を表したボード本体と、該ボード本体を装飾する装飾パーツとを有するアートボードであって、
前記ボード本体は、  
前記写真または絵画を描画した描画媒体と、
前記描画媒体の裏面に配置された強磁性体または磁石のプレートとを備え、
前記装飾パーツは、
前記写真または絵画を装飾するための装飾部材と、
該装飾部材の裏面に一体化された、前記プレートに磁力吸着可能な磁石または強磁性体とを備える
アートボード。
【請求項２】
請求項１記載のアートボードであって、
前記プレートは強磁性体であり、
前記装飾部材の裏面には、磁石が貼付されているアートボード。
【請求項３】
請求項２記載のアートボードであって、
前記ボード本体は、さらに、
前記プレートの外周と同じ形状で、前記プレートの厚みと同じ深さの凹部を有するフレームを有し、
前記プレートは、前記凹部にはめ込まれており、
前記描画媒体は、前記フレームの外側を覆うように前記フレームに留められているアートボード。
【請求項４】
請求項３記載のアートボードであって、
前記フレームは、前記装飾パーツを前記プレートの裏面側に収納可能な厚みを有するアートボード。
【請求項５】
請求項１〜４いずれか記載のアートボードであって、
前記装飾パーツの磁石または強磁性体は、前記装飾部材の裏面の一部に貼付され、前記プレートの表面から該装飾部材が浮いて視認できる程度の厚さを有するアートボード。
【請求項６】
請求項５記載のアートボードであって、
前記装飾パーツの磁石または強磁性体は球状であるアートボード。
【請求項７】
請求項１〜６いずれか記載のアートボードであって、
前記描画媒体は、キャンバス地であるアートボード。
【請求項８】
請求項１〜７いずれか記載のアートボードであって、
前記写真または絵画は、人物または動物を表したものであり、
前記装飾部材は、前記人物または動物の身体に装着するものをモチーフとしているアートボード。
【請求項９】
請求項８記載のアートボードであって、
記人物または動物において該装飾部材を装着する部位の寸法を、該装飾部材に適合するように前記写真または絵画のサイズが調整されたアートボード。
【考案の詳細な説明】
【技術分野】
【０００１】
本考案は、写真または絵画を装飾して展示可能なアートボードに関する。
【背景技術】
【０００２】
従来、写真または絵画などは、写真立てや額縁などの室内装飾装置品に入れて展示されていた。このような写真等を飾るための室内装飾装置品に関し、例えば、特許文献１は、木材、プラスチック等のプレートの裏面に磁石を埋め込み、表面に金属等の留め具を磁力で貼付可能とし、磁力で写真等を保持する技術を開示している。
【先行技術文献】
【特許文献】
【０００３】
【特許文献１】実用新案登録第３０６８０２１号公報
【考案の概要】
【考案が解決しようとする課題】
【０００４】
写真や絵画を展示する者は、自身の好みに応じて写真等をさらに装飾したいと考えることがある。装飾の方法としては、好みに応じて写真等に加筆をしたり、装飾部材を貼り付けたりする方法が考えられる。しかし、かかる方法では、一旦施した装飾を容易に修正したり変更したりすることができない。
本考案は、かかる課題を解決し、容易に変更や除去ができる装飾を施して写真や絵画を展示可能とする技術を提供することを目的とする。
【課題を解決するための手段】
【０００５】
本考案は、写真または絵画を表したボード本体と、該ボード本体を装飾する装飾パーツとを有するアートボードであって、
前記ボード本体は、  
前記写真または絵画を描画した描画媒体と、
前記描画媒体の裏面に配置された強磁性体または磁石のプレートとを備え、
前記装飾パーツは、
前記写真または絵画を装飾するための装飾部材と、
該装飾部材の裏面に一体化された、前記プレートに磁力吸着可能な磁石または強磁性体とを備える
アートボードとして構成することができる。
【０００６】
本考案によれば、ボード本体に、装飾パーツを磁力によって貼り付けることが可能であるため、容易に変更や除去可能な装飾を写真または絵画に施すことができる。
描画媒体は、例えば、紙、布、樹脂など種々のものを利用可能である。写真または絵画は、描画媒体に描かれていてもよいし、印刷されていてもよい。描画媒体の形状は任意である。
プレートとして強磁性体を用いる場合には、鉄、ステンレスなど磁石を吸着可能な強磁性体の板を利用可能である。磁石を用いる場合には、シート状の磁石を用いても良いし、板またはシート状の基材に複数の磁石を配置して固定してもよい。プレートの形状およびサイズは、写真または絵画の描画領域と同程度とすることが好ましい。
プレートへの描画媒体の取付は種々の方法が可能である。例えば、プレートと描画媒体を同じ形状、大きさとし、プレートを描画媒体の裏面に貼り付けても良い。また、プレートよりも大きい描画媒体を用意し、描画媒体でプレートを包み込むようにしてもよい。
装飾部材は、写真または絵画で表されている画像に応じて用意することができる。平面的なものであってもよいし、立体的なものであってもよい。装飾部材は、紙、布、木材、樹脂、金属など種々の材料で形成することができる。
【０００７】
本考案のアートボードにおいて、
前記プレートは強磁性体であり、
前記装飾部材の裏面には、磁石が貼付されているものとしてもよい。
かかる構成とすることにより、プレートの剛性を容易に確保することができ、また、磁石を用いる場合に比べて安価にプレートを構成することができる。
もっとも、本考案では、上記態様に限らず、プレートとして磁石を用いることもできる。この場合には、装飾部材の裏面に強磁性体を貼り付けたり、装飾部材を強磁性体で形成してもよい。また、プレートの磁石と吸着する磁極の向きで装飾部材の裏面に磁石を貼り付けてもよい。
【０００８】
プレートとして強磁性体を用いる場合、
前記ボード本体は、さらに、
前記プレートの外周と同じ形状で、前記プレートの厚みと同じ深さの凹部を有するフレームを有し、
前記プレートは、前記凹部にはめ込まれており、
前記描画媒体は、前記フレームの外側を覆うように前記フレームに留められているものとしてもよい。
プレートが強磁性体、即ち金属の場合、当該プレートを描画媒体で包み込むようにすると、プレートの縁で描画媒体がすり切れたり、切断されてしまうことがある。これに対して、上述の態様のようにフレームを用いれば、プレートの縁をフレームで覆うことができるため、描画媒体で全体を包み込むようにしても、描画媒体がプレートによって切断されるのを回避することができる。
フレームは、木材、樹脂、金属など種々の素材で形成することができる。
【０００９】
フレームを用いる態様では、
前記フレームは、前記装飾パーツを前記プレートの裏面側に収納可能な厚みを有するものとしてもよい。
こうすることにより、プレートの裏面に装飾パーツを磁力で吸着して、収納することができる。フレームの厚みは、装飾パーツの最大高さ以上としておけばよい。
【００１０】
本考案においては、
前記装飾パーツの磁石または強磁性体は、前記装飾部材の裏面の一部に貼付され、前記プレートの表面から該装飾部材が浮いて視認できる程度の厚さを有するものとしてもよい。
かかる装飾パーツを用いれば、プレートから装飾部材が浮いて視認されるため、立体的な視覚効果を得ることができる。磁石等の厚みは、例えば３ミリメートル以上とすることができる。また装飾部材自体を立体的なものとすれば、より高い効果を得ることができる。磁石等の厚みは、装飾パーツの大きさに応じて変えてもよい。
【００１１】
上記態様において、磁石または強磁性体の形状は平板状などとしてもよいが、
前記装飾パーツの磁石または強磁性体は球状としてもよい。
こうすることにより、さらに立体的な視認効果を高めることができる。
【００１２】
本考案においては、
前記描画媒体は、キャンバス地としてもよい。
こうすることで、特徴的な風合いを与えることができる。キャンバス地は、白地でもよいし、有色であってもよい。模様が描かれていてもよい。
【００１３】
本考案においては、
前記写真または絵画は、人物または動物を表したものであり、
前記装飾部材は、前記人物または動物の身体に装着するものをモチーフとしているものとしてもよい。
こうすることにより、一層、愛着のわく装飾を施すことができる。
装飾部材としては、例えば、眼鏡、帽子、服、アクセサリーとすることができる。
【００１４】
上述の態様においては、
記人物または動物において該装飾部材を装着する部位の寸法を、該装飾部材に適合するように前記写真または絵画のサイズが調整されたものとしてもよい。
このように写真または絵画のサイズを調整しておけば、装飾部材を種々の写真等に対して共通化することができる。
【００１５】
以上で説明した各特徴は、必ずしも全てを備えている必要はなく、適宜、その一部を省略したり組み合わせたりしてもよい。
【図面の簡単な説明】
【００１６】
【図１】アートボードのボード本体を例示する説明図である。
【図２】装飾パーツを貼り付けたアートボードを例示する説明図である。
【図３】ボード本体の構成を示す説明図である。
【図４】ボード本体の裏面の状態を例示する説明図である。
【図５】装飾パーツの構成を例示する説明図（１）である。
【図６】装飾パーツの構成を例示する説明図（２）である。
【図７】画像サイズ調整処理のフローチャートである。
【考案を実施するための形態】
【００１７】
以下、本考案の実施例について説明する。
図１は、アートボードのボード本体１を例示する説明図である。実施例のボード本体１は、表面に犬の写真Ｐが印刷されている。印刷面はキャンバス地となっているが、紙を用いても良い。以下の例では、犬の目の間隔Ｌｐを代表長さと称する。後述する通り、ボード本体１は、写真Ｐの裏面にステンレスのプレートが配置されている。
【００１８】
図２は、装飾パーツを貼り付けたアートボードを例示する説明図である。この例では、サングラス４０、リボン４１、ハート４２、首飾り４３などを装飾パーツとして用いている。これらの装飾パーツには、磁石が貼り付けられており、写真Ｐの裏面に配置されたプレートに磁力で吸着させることができる。装飾パーツは、他にも任意の形状のものを用意できる。
【００１９】
図３は、ボード本体の構成を示す説明図である。ボード本体は、木製の矩形のフレーム１０に組み付けられている。フレーム１０の内側には、深さＦｔ２の矩形状の凹部１３が形成されている。凹部１３の内側は開口部１４となっている。
凹部１３には、プレート２０がはめ込まれる。
凹部１３の縦横の形状は、ステンレスのプレート２０のサイズＳｘ，Ｓｙと同一であり、深さＦｔ２もプレート２０の厚さＳｔと同一である。従って、プレート２０の表面はフレーム１０の上面１２と段差のない平面を構成することができる。
【００２０】
描画媒体としてのキャンバス地３０は、プレート２０の表側から、フレーム１０を包み込むようにかぶせられ、フレーム１０の裏面で固定される。固定方法は、釘、接着など種々の方法を用いることができる。
キャンバス地３０のサイズＣｘ、Ｃｙは、フレーム１０を包み込むことができるサイズとなっている。即ち、フレーム１０の横、縦、厚さをそれぞれＦｘ、Ｆｙ、Ｆｔ１とするとき、キャンバス地３０のサイズＣｘ、Ｃｙは以下の関係にある。
Ｃｘ  ＞  Ｆｘ＋２×Ｆｔ１；
Ｃｙ  ＞  Ｆｙ＋２×Ｆｔ１；
キャンバス地３０の中央の領域が印刷を行う描画エリア３１となる。本実施例では、描画エリア３１のサイズＤｘ，Ｄｙは、フレーム１０のサイズＦｘ，Ｆｙと同じとしたが、これよりも小さいサイズとしてもよい。
【００２１】
上述の通り、本実施例では、フレーム１０にステンレスのプレート２０をはめ込んだ構成となっているため、フレーム１０を包み込むようにキャンバス地３０を取り付けても、キャンバス地３０がプレート２０の縁ですり切れる事態を回避することができ、ボード本体の耐久性を向上させることができる。
実施例の構造に代えて、プレート２０を直接キャンバス地３０で包み込んだ構造、プレート２０の表面にプレート２０と同一形状のキャンバス地３０を貼り付けた構造などとしても良い。また、フレーム１０の上面に、フレーム１０と同一形状のプレート２０を固定するようにしてもよい。
【００２２】
図４は、ボード本体の裏面の状態を例示する説明図である。フレーム１０には、先に説明した通りキャンバス地３０が釘で留められている。
フレーム１０には図３で示した通り開口部１４が設けられているため、フレーム１０にプレート２０がはめ込まれることにより、裏面には凹部が形成される。図４に示す通り、この凹部には、サングラス４０、リボン４１、ハート４２、首飾り４３などの装飾パーツを磁力で貼り付けることにより収納することができる。フレーム１０の厚みＦｔ１（図３参照）は、これらの装飾パーツを収納可能な程度に設定されている。
【００２３】
図５、図６は、装飾パーツの構成を例示する説明図である。図５（ａ）は、サングラス４０の裏面の状態を示した。サングラス４０には、そのフレーム４０ｆの左右の端に球状の磁石４０ｍが接着されている。サングラス４０の左右のレンズ４０Ｌの間の距離をサングラス４０の代表長Ｌｄと称する。代表長Ｌｄは、例えば、レンズ４０Ｌの重心間の距離とすることができる。
図５（ｂ）は、装飾時のサングラス４０の状態を示す説明図である。磁石４０ｍが貼り付けられているため、サングラス４０をプレートに対して上部に隙間ａができるように斜めに貼り付けることができるようになり、装飾時に立体感を持たせることができる。この結果、写真の犬等が実際にサングラス４０をかけているかのような視覚効果を与えることが可能となる。
その他の装飾パーツも同様に、厚みのある磁石が貼り付けられている。例えば、リボン４１の裏面には、図６（ａ）に示すように、数ミリメートルの厚さを有する板状の磁石４１ｍが貼り付けられている。ハート４２の裏面には、図６（ｂ）に示すように、やはり数ミリメートルの厚さを有する円板状の磁石４２ｍが貼り付けられている。首飾り４３の裏面には、図６（ｃ）に示すように、数ミリメートルの厚さを有する円板状の磁石４３ｍが３カ所に貼り付けられている。これらの磁石４１ｍ、４２ｍ、４３ｍは、それぞれサングラスと同様、球状の磁石としてもよい。
磁石のサイズ、厚みは、装飾パーツの形状、寸法に応じて適宜、設定すればよい。
【００２４】
本実施例では、装飾パーツとして犬の身体に装着するサングラス等をモチーフとしたものを用意した。このような装飾パーツは、その大きさが、被写体である犬の大きさに適合していることが望ましい。例えば、サングラス４０が、犬に比較して小さすぎたり、大きすぎたりしては、全体としてアンバランスとなり、装飾を楽しむことができない。
一方、被写体の大きさに合わせて装飾パーツを形成していては製造の手間もコストも大きくなってしまう。そこで、本実施例では、装飾パーツの大きさに合わせて被写体のサイズを調整した上で印刷するようにしている。以下、この画像サイズ調整処理について説明する。
【００２５】
図７は、画像サイズ調整処理のフローチャートである。本実施例のアートボードの注文を発注者から受け付けた業者側で実行する処理である。この処理は、コンピュータにより全自動で行うものとしてもよいし、業者側のオペレータが画面等を見ながら行うようにしてもよい。
【００２６】
まず、処理を開始すると、業者は発注者から注文を受け付ける（ステップＳ１０）。ここには、印刷すべき画像データの受け取りおよび装飾パーツの注文受付などの処理が含まれる。装飾パーツは、個別に注文可能としてもよいし、複数の装飾パーツをセットで注文可能としてもよい。
【００２７】
次に、業者は、注文された装飾パーツに基づいて、その代表長Ｌｄを決定する。サングラスが含まれる場合、図５（ａ）に示したように、レンズ間の距離が代表長Ｌｄとなる。
注文された装飾パーツにサングラスが含まれない場合、代表長を他の装飾パーツに基づいて決定してもよい。例えば、首飾りの長さを代表長としてもよいし、帽子の幅、服の肩幅など、種々の部位を代表長とすることができる。ただし、代表長は、後述する通り、写真の拡大縮小を調整するために用いるものであるから、装飾パーツと被写体の双方に対応する部位が存在する点を用いて代表長を定義する必要がある。
代表長の決定に用いられる特定の装飾パーツが注文されていない場合には、代表長を決めることなく次の処理に進んでもよい。
【００２８】
業者は、設定された代表長に基づいて写真のサイズ調整を行う（ステップＳ１２）。例えば、サングラス４０に基づいて代表長Ｌｄを決めた場合、写真の中でサングラス４０に対応する部位は、目の間隔であるから、先に図１に示したように目の間隔に基づいて写真の代表長Ｌｐを決定する。
そして画像のサイズ調整は、次の条件１、条件２が満たされるように行われる。
条件１は、｜Ｌｄ−Ｌｐ｜＜許容範囲が満たされることである。つまり、代表長Ｌｄ、Ｌｐの誤差が許容範囲内であることを意味する。「許容範囲」は、装飾パーツに応じて、それが違和感なく装飾できる範囲で任意に設定すればよい。注文された装飾パーツによっては、代表長Ｌｄ，Ｌｐが決まらないことがある。かかる場合には、条件１は常に満たすものとして、以下の条件２のみに基づいて調整してもよい。
条件２は、画像が描画エリアに収まることである。描画エリアに所定の余白を設けた範囲内に収まるようにしてもよい。
【００２９】
本実施例では、このように写真Ｐのサイズを調整した上で、キャンバス地３０に写真Ｐを印刷し、フレーム１０に取り付ける。こうすることにより、装飾パーツを違和感なく装飾可能なボード本体１ができあがる。
【００３０】
実施例のアートボードによれば、磁石を備えた装飾パーツを、写真または絵画に容易に装飾可能である。また、装飾パーツは、磁石で貼り付けるだけであるため、容易に修正、除去が可能となり、元の写真等を損ねることなく装飾を楽しむことができる。
【００３１】
以上で説明した種々の特徴は、必ずしも全てを備えている必要はなく、適宜、その一部を省略したり組み合わせたりしてもよ。また、実施例は、上述の他に例えば以下に示すように種々の変形例を構成可能である。
（１）実施例では、写真Ｐを印刷した例を示したが、写真に代えて絵画でもよい。また、印刷に代えて手描きしたものでもよい。
（２）実施例では、犬の写真Ｐを示したが、これは例示である。写真等は、犬以外の動物や子供その他の人物でもよい。子供の場合、装飾パーツとして、眼鏡、帽子、服などの身につける物の他、傘、バッグ、ボールなど手に持って利用する物、動物のヒゲ、耳など仮装効果を与える物などを用意してもよい。写真等は、風景などの写真や絵画でもよい。風景の写真等を用いる場合、装飾パーツとしては太陽、雲、花、家などであってもよい。
（３）実施例では、ステンレスのプレート２０を用いたが、シート状の磁石をプレート２０に用いても良い。この場合、装飾パーツは、鉄、ステンレスなどの強磁性体で形成してもよいし、磁石でもよい。磁石を用いる場合には、その極性を、プレート２０の極性に対して磁力で吸着可能な方向とする必要がある。
【符号の説明】
【００３２】
１      ：ボード本体
１０    ：フレーム
１２    ：上面
１３    ：凹部
１４    ：開口部
２０    ：プレート
３０    ：キャンバス地
３１    ：描画エリア
４０    ：サングラス
４０Ｌ  ：レンズ
４０ｆ  ：フレーム
４０ｍ  ：磁石
４１    ：リボン
４１ｍ  ：磁石
４２    ：ハート
４２ｍ  ：磁石
４３ｍ  ：磁石
【図１】
0003211748.tif 000003
【図２】
0003211748.tif 000004
【図３】
0003211748.tif 000005
【図４】
0003211748.tif 000006
【図５】
0003211748.tif 000007
【図６】
0003211748.tif 000008
【図７】
0003211748.tif 000009